(57)【要約】【課題】種々の有効画素領域に対応することができ、利用効率を上げることができる固体撮像装置を提供する。【解決手段】固体撮像装置３０は、光電変換素子とカラーフィルタとを含む画素部が所定の繰り返し単位で２次元状に配設された有効画素領域４１を有する固体撮像素子４０と、固体撮像素子４０を駆動制御する駆動パルス制御部５０とを備える。駆動パルス制御部５０は、前記繰り返し単位が複数含まれ、かつ有効画素領域４１の全ての画素部が利用されるように、色混合すべきユニットの構成を決定するユニット構成決定部５１と、ユニット構成決定部５１により決定されたユニット毎に、離散的に配置された同色の画素部からの信号が加算されるように駆動する駆動パルス発生回路５２とを備える。【選択図】図１
2007189556.tif 000002
【特許請求の範囲】
【請求項１】
光電変換素子とカラーフィルタとを含む画素部が所定の繰り返し単位で２次元状に配設された有効画素領域を有する固体撮像素子と、
前記固体撮像素子を駆動制御する駆動制御手段とを備え、
前記駆動制御手段は、
前記繰り返し単位が複数含まれ、かつ前記有効画素領域の全ての画素部が利用されるように、色混合すべきユニットの構成を決定するユニット構成決定手段と、
前記ユニット構成決定手段により決定されたユニット毎に、離散的に配置された同色の画素部からの信号が加算されるように駆動する駆動手段とを備える
ことを特徴とする固体撮像装置。
【請求項２】
前記ユニット構成決定手段は、
前記有効画素領域に含まれる水平方向および垂直方向の画素数と、前記繰り返し単位とに基づいて、水平方向の単位繰り返し数Ｊおよび垂直方向の単位繰り返し数Ｋを算出し、
Ｊ／ｎ＝自然数となるｎ（ｎ：自然数）、Ｋ／ｍ＝自然数となるｍ（ｍ：自然数）を算出し、
前記ユニットを構成する水平方向の画素数Ｎ（Ｎ＝ｊ×ｎ）、垂直方向の画素数（Ｍ＝ｋ×ｍ）（但し、ｎ＝ｍ＝１を除く）を決定する
ことを特徴とする請求項１記載の固体撮像装置。
【請求項３】
前記固体撮像素子は、さらに
前記光電変換素子に蓄積された信号電荷を垂直方向に転送する垂直転送部と、
前記垂直転送部より垂直転送されてきた信号電荷を水平方向に転送する水平転送部と、
前記水平転送部により水平転送されてきた信号電荷に応じた信号を出力する出力部とを備え、
前記駆動手段は、垂直転送部と水平転送部、あるいは、垂直転送部と水平転送部のいずれかにおいて同色の信号電荷が加算されるように駆動する
ことを特徴とする請求項１記載の固体撮像装置。
【請求項４】
光電変換素子とカラーフィルタとを含む画素部が所定の繰り返し単位で２次元状に配設された有効画素領域を有する固体撮像素子を駆動制御する駆動制御方法であって、
前記繰り返し単位が複数含まれ、かつ前記有効画素領域の全ての画素部が利用されるように、色混合すべきユニットの構成を決定するユニット構成決定ステップと、
前記ユニット構成決定ステップにより決定されユニット毎に、離散的に配置された同色の画素部の画素信号が加算されるように駆動する駆動ステップと
を含むことを特徴とする駆動制御方法。
【請求項５】
請求項１〜３のいずれか１項に記載の固体撮像装置を備えるカメラ。
【発明の詳細な説明】
【技術分野】
【０００１】
本発明は固体撮像装置およびその駆動方法に関し、特に離散的に配置された同色の画素部からの信号を加算する技術に関するものである。
【背景技術】
【０００２】
近年、ビデオカメラやデジタルスチルカメラはその小型、軽量などの使い易さと高画質化により成長を続けている。その中でもカメラの高機能化に対する要望が高まっており、多画素化と高画質動画を両立できる固体撮像装置が差別化のキーポイントとなっている。すなわち、近年、８００万画素等にまで固体撮像装置の高画素化が進み、銀塩なみの静止画を撮影したり、動画を撮影したりすることが可能になっている。ところで、動画を撮影する場合には、数十万画素で撮影されるので、余った光電変換素子の有効利用を図るべく、同色の光電変換素子ごとの信号を加算（画素混合）する手法が通常採用される（例えば、特許文献１参照）。
【０００３】
図７は、従来のＲＧＢベイヤー配列方式の固体撮像装置の構成を示す図である。なお、同図においては、カラーフィルタだけが図示されている。
【０００４】
図７に示されるように、固体撮像装置は、光電変換素子とカラーフィルタとを含む画素部が所定の繰り返し単位で２次元状に配設された有効画素領域を有する。
【０００５】
すなわち、固体撮像装置のマトリクス状に配された各画素のカラーフィルタは、市松模様状に配置されており、２つの市松模様のＧ（緑）フィルタと、Ｒ（赤）フィルタ、Ｂ（青）フィルタとを繰り返し単位として、水平方向に４画素（水平方向に単位繰り返し数２）、垂直方向に４画素（垂直方向に単位繰り返し数２）の１６画素を１つのユニットとして構成されている。
【０００６】
そして離散的に配置された同色の画素部からの信号が加算されるように駆動している。具体的には、１つのユニットに含まれる赤フィルタを有する４つの光電変換素子（以下、単に「Ｒ」とも記す。）の出力が加算され、青フィルタを有する４つの光電変換素子（以下、単に「Ｂ」とも記す。）の出力が加算され、緑フィルタを有する４つの光電変換素子（以下、単に「Ｇ」とも記す。）の出力が加算されるように、駆動している。
【特許文献１】特開２００１−２９２４５３号公報
【発明の開示】
【発明が解決しようとする課題】
【０００７】
ところで、有効画素領域の水平方向の画素数および垂直方向の画素数は、各固体撮像素子によって異なる。例えばある固体撮像素子では有効画素領域の水平方向の画素数および垂直方向の画素数が、それぞれ１０００画素であり、他の固体撮像素子では有効画素領域の水平方向の画素数および垂直方向の画素数が、それぞれ１００２画素である。
【０００８】
しかしながら、従来の固体撮像装置では、有効画素領域の構成如何に拘わらず、１つのユニット構成を決めている。このため、上記他の固体撮像素子を用いて画素混合する場合、水平方向に２画素ずつ、水平方向に２画素ずつ、ユニットに含まれない画素の余りが生じる。このため、種々の有効画素領域に対応することができず、有効画素領域に含まれる画素の利用率が低下するという問題が生じる。
【０００９】
そこで、本発明は上記問題を解決し、種々の有効画素領域に対応することができ、利用効率を上げることができる固体撮像装置およびその駆動方法を提供することを目的とする。
【課題を解決するための手段】
【００１０】
上記目的を達成するために、本発明に係る固体撮像装置においては、光電変換素子とカラーフィルタとを含む画素部が所定の繰り返し単位で２次元状に配設された有効画素領域を有する固体撮像素子と、前記固体撮像素子を駆動制御する駆動制御手段とを備え、前記駆動制御手段は、前記繰り返し単位が複数含まれ、かつ前記有効画素領域の全ての画素部が利用されるように、色混合すべきユニットの構成を決定するユニット構成決定手段と、前記ユニット構成決定手段により決定されたユニット毎に、離散的に配置された同色の画素部からの信号が加算されるように駆動する駆動手段とを備えることを特徴とする。
【００１１】
これにより、種々の有効画素領域に対応することができ、利用効率を上げることができる。
【００１２】
また、本発明に係る固体撮像装置においては、前記ユニット構成決定手段は、前記有効画素領域に含まれる水平方向および垂直方向の画素数と、前記繰り返し単位とに基づいて、水平方向の単位繰り返し数Ｊおよび垂直方向の単位繰り返し数Ｋを算出し、Ｊ／ｎ＝自然数となるｎ（ｎ：自然数）、Ｋ／ｍ＝自然数となるｍ（ｍ：自然数）を算出し、前記ユニットを構成する水平方向の画素数Ｎ（Ｎ＝ｊ×ｎ）、垂直方向の画素数（Ｍ＝ｋ×ｍ）（但し、ｎ＝ｍ＝１を除く）を決定することを特徴とすることができる。
【００１３】
これにより、ユニットを構成する水平方向の画素数Ｎ（Ｎ＝ｊ×ｎ）、垂直方向の画素数（Ｍ＝ｋ×ｍ）（但し、ｎ＝ｍ＝１を除く）を柔軟に決定することができる。
【００１４】
また、本発明に係る固体撮像装置においては、前記固体撮像素子は、さらに前記光電変換素子に蓄積された信号電荷を垂直方向に転送する垂直転送部と、前記垂直転送部より垂直転送されてきた信号電荷を水平方向に転送する水平転送部と、前記水平転送部により水平転送されてきた信号電荷に応じた信号を出力する出力部とを備え、前記駆動手段は、垂直転送部と水平転送部、あるいは、垂直転送部と水平転送部のいずれかにおいて同色の信号電荷が加算されるように駆動することを特徴とすることができる。
【００１５】
これにより、出力部から出力される画素信号の数を大幅に減らすことができる。
【００１６】
なお、本発明は、このような固体撮像装置として実現することができるだけでなく、このような固体撮像装置が備える特徴的な手段をステップとする駆動方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。さらに、このような固体撮像装置を備えるカメラとして構成することもできる。
【発明の効果】
【００１７】
以上の説明から明らかなように、本発明に係る固体撮像装置によれば、種々の有効画素領域に対応することができ、利用効率を上げることが可能になるという効果が奏される。
【００１８】
よって、本発明により、無駄のない画素加算が可能となり、ビデオカメラ及びデジタルスチルカメラが普及してきた今日における本願発明の実用的価値は極めて高い。
【発明を実施するための最良の形態】
【００１９】
以下、本発明の実施の形態について、図面を用いて詳細に説明する。
【００２０】
（実施の形態１）
図１は、本実施の形態に係る固体撮像装置を利用したカメラの構成を示す図である。
【００２１】
図１に示されるようにカメラ１は、被写体の光学像を撮像素子（有効画素）に結像させるレンズ１０と、レンズ１０を通過した光学像の光学処理を行うミラーや、シャッタなどの光学系２０と、本願発明に係る固体撮像装置３０と、信号処理部６０と、デジタルシグナルプロセッサ（以下、「ＤＳＰ」とも記す。）７０等とを備える。
【００２２】
固体撮像装置３０は、固体撮像素子４０と、駆動パルス制御部５０とを備える。
【００２３】
固体撮像素子４０は、単板式カラーＣＣＤイメージセンサや、単板式カラーＭＯＳイメージセンサ等により実現され、受光量に応じた画素信号を出力する有効画素領域４１と、受光量に応じた画素信号を出力しないオプティカルブラック（以下、「ＯＢ」とも記す）からのＯＢ信号や、無効信号等の非画素信号を出力する非有効画素領域４２とを含む。
【００２４】
駆動パルス制御部５０は、画素混合するユニットの構成を決定するユニット構成決定部５１と、ＤＳＰ７０の指示に従って、固体撮像素子４０に対して種々の駆動パルスを種々のタイミングで発生させることにより、固体撮像素子４０を駆動する駆動パルス発生回路５２とを備える。
【００２５】
信号処理部６０は、固体撮像素子４０から出力されるフィールドスルーの信号と出力信号との差分をとるＣＤＳ回路６１と、ＣＤＳ回路６１から出力されるＯＢレベルの信号を検出するＯＢクランプ回路６２と、ＯＢレベルと有効画素の信号レベルとの差分をとり、その差分のゲインを調整するＧＣＡ６３と、ＧＣＡ６３から出力されたアナログ信号をデジタル信号に変換するＡＤＣ６４等とから構成される。
【００２６】
ＤＳＰ７０は、ＡＤＣ６４から出力されたデジタル信号に信号処理を施すと共に、駆動パルス発生回路５２の制御を行う。
【００２７】
図２は、ＲＧＢベイヤー配列方式の固体撮像素子４０の構成を示す図である。なお、ここでは固体撮像素子４０が単板式カラーＣＣＤイメージセンサにより構成される場合が図示されている。
【００２８】
図２に示されるように、固体撮像素子４０は、マトリックス状に配設される複数の光電変換素子４０１と、光電変換素子の周囲に配設されるＯＢ（なお、上方のＯＢについては、図示が省略されている）４０２と、垂直転送部４０３と、水平転送部４０４と、垂直転送部４０３と水平転送部４０４との間に配設されるレジスタ４０５と、出力部４０６とを備える。なお、光電変換素子４０１については、光電変換素子４０１が有するカラーフィルタの色が図示されている。また、併せて、行列の番号も付されている。さらに、垂直最終段部、つまりレジスタ４０５の終段には独立駆動可能なゲートが設けられている。
【００２９】
ここで、第２図では有効画素領域４１が水平方向に１０００画素及び垂直方向に１０００画素で構成されている固体撮像装置を例として示されている。また、垂直転送部４０３、水平転送部４０４およびレジスタ４０５については、ゲート構成も図示されている。
【００３０】
このように構成された固体撮像素子４０について、有効画素領域４１の全ての画素を有効に利用して画素混合するために、ユニット構成決定部５１によって行われる、画素混合するユニットの構成を決定する処理について説明する。
【００３１】
図３は、ユニット構成決定部５１によって行われる画素混合するユニットの構成を決定する処理の動作を示すフローチャートである。なお、ユニット構成決定部５１は、不図示の内部メモリに、水平方向の有効画素数（この実施の形態では１０００画素）、垂直方向の有効画素数（この実施の形態では１０００画素）および所定のカラー・フィルタの水平方向の繰り返し単位ｊ（この実施の形態では２画素）、垂直方向の繰り返し単位ｋ（この実施の形態では２画素）を予め記憶しているものとして説明する。
【００３２】
まず、ユニット構成決定部５１は、メモリから水平方向の有効画素数Ｈを取得し（Ｓ１１）、垂直方向の有効画素数Ｖを取得し（Ｓ１２）、所定のカラー・フィルタの水平方向の繰り返し単位ｊ、垂直方向の繰り返し単位ｋを取得する（Ｓ１３）。
【００３３】
これらを取得すると、ユニット構成決定部５１は、水平方向の単位繰り返し数Ｊ（Ｊ＝Ｈ／ｊ）、垂直方向の単位繰り返し数Ｋ（Ｋ＝Ｖ／ｋ）を算出する（Ｓ１４）。
【００３４】
水平方向の単位繰り返し数Ｊおよび垂直方向の単位繰り返し数Ｋの算出が終わると、ユニット構成決定部５１は、Ｊ／ｎ＝自然数となるｎ（ｎ：自然数）、Ｋ／ｍ＝自然数となるｍ（ｍ：自然数）を算出する（Ｓ１５）。
【００３５】
ここで、本実施の形態の場合、Ｊ＝５００であるので、ｎ＝１，２，４，５，１０，２０，５０，…が算出され、Ｋ＝５００であるので、ｍ＝１，２，４，５，１０，２０，５０，…が算出される。
【００３６】
ｎ，ｍの算出が終わると、ユニット構成決定部５１は、動画を構成する水平方向および垂直方向の画素数等に基づいて、必要なｎ，ｍ（但し、ｎ＝ｍ＝１を除く）を選択する（Ｓ１６）。ここで、ｎ＝ｍ＝１を除くのは、ｎ＝ｍ＝１であればユニット内で同色の画素混合ができないからである。
【００３７】
ｎ，ｍの選択が終わると、ユニットを構成する水平方向の画素数Ｎ（Ｎ＝ｊｎ）、垂直方向の画素数Ｍ（Ｍ＝ｋｍ）を決定する（Ｓ１７）。例えば、ｎ＝２，ｍ＝２が選択された場合、４画素×４画素を１ユニットとして構成される。
【００３８】
図４は、上記有効画素領域４１に対してユニット構成決定部５１の決定に従うユニット構成を適用した状態を示す図である。なお、同図においては、下部の非有効画素領域４２や、レジスタ４０５の図示が省略されている。
【００３９】
図４に示されるように、点線で示される１つのユニット、つまり画素加算領域の赤フィルタ（Ｒ１１＋Ｒ１３＋Ｒ３１＋Ｒ３３）に示すように、離散的に存在する４個の同色フィルタ画素を加算する画素加算を実現させるため、水平方向に２画素個、垂直方向に２画素個の（２×２）個、すなわち４個の同色フィルタ画素から構成されており、また、画素加算領域の最小単位である１ユニットは水平方向に４画素、垂直方向に４画素の（４×４）個、すなわち１６個の画素から構成されている。水平方向の有効画素領域列の総数は１ユニットの水平方向画素である４の倍数で構成され、且つ、垂直方向の有効画素領域行の総数は１ユニットの垂直方向画素である４の倍数で構成されている。
【００４０】
つまり、有効画素領域４１は４画素×４画素のユニットにより全て収まっており、無駄な余りの画素が生じていない。
【００４１】
これにより、この有効画素領域に対応することができ、利用効率を上げることができる。
【００４２】
次いで、図４に示される有効画素領域４１の光電変換素子４０１に蓄積された信号電荷を混合する駆動方法について説明する。
【００４３】
図５は、ユニット構成決定部５１の決定に従い駆動パルス発生回路５２から固体撮像素子４０に与えられる駆動信号を示す図である。特に、図５（ａ）は水平同期信号ＨＤを、図５（ｂ）は出力部４０６から出力されるＣＣＤ出力を、図５（ｃ）は水平転送ゲートＨ１に印加される水平ＣＣＤ転送クロックを、図５（ｄ）は水平転送ゲートＨ２に印加される水平ＣＣＤ転送クロックを、図５（ｅ）〜図５（ｌ）は垂直転送ゲートに印加される垂直ＣＣＤ転送クロックφＶ１〜φＶ８を、図５（ｍ），図５（ｎ）は、レジスタ４０５に印加され、４画素加算の場合、４つ毎の周期で繰り返す転送クロックφＶ５Ｒ，φＶ７Ｒを、図５（ｏ）は半導体基板に印加される電子シャッタパルスを、それぞれ示す図である。これらの信号により、各ユニット内の同色の画素信号が加算される。
【００４４】
次に、ＲＧＢベイヤー配列方式の固体撮像装置において隣接する４つの同色フィルタ画素を加算する画素加算駆動方法について、第４図に破線で示した領域中の、Ｒ１１，Ｒ１３，Ｒ３１，Ｒ３３のＲフィルタを有する４つの光電変換素子を例として説明する。
【００４５】
先ず第１番目に、垂直ブランキング期間内において、Ｒ３３の光電変換素子に蓄積された信号電荷を垂直転送部４０３へ読み出した後、垂直転送部４０３内を水平転送部４０４方向へ転送し、Ｒ１３の光電変素子に隣接する転送ゲート位置まで転送する。また、同じタイミングにおいて、Ｒ３１の光電変換素子に蓄積された信号電荷を垂直転送部４０３へ読み出した後、垂直転送部４０３内を水平転送部４０４へ転送し、Ｒ１１の光電変素子に隣接する転送ゲート位置まで転送する。
【００４６】
第２番目に、同じく垂直ブランキング期間内において、Ｒ１３の光電変換素子に蓄積された信号電荷を垂直転送部４０３へ読み出すことで、Ｒ１３の信号電荷とＲ３３の信号電荷とを垂直転送部４０３内で加算する。また、同じタイミングにおいて、Ｒ１１の光電変換素子に蓄積された信号電荷を垂直転送部４０３へ読み出すことで、Ｒ１１の信号電荷とＲ３１の信号電荷とを垂直転送部４０３内で加算する。
【００４７】
第３番目に、水平ブランキング期間内において、加算されたＲ１３とＲ３３との信号電荷（以降、Ｒ１３＋Ｒ３３と記載）を水平転送部４０４へ転送した後、水平転送部４０４内を出力部４０６方向へ転送させ、加算されたＲ１１とＲ３１との信号電荷（以降、Ｒ１１＋Ｒ３１と記載）が蓄積されている垂直転送部４０３に隣接する転送ゲート位置まで転送する。
【００４８】
第４番目に、同じく水平ブランキング期間内において、信号電荷Ｒ１１＋Ｒ３１を水平転送部４０４へ転送することで、信号電荷Ｒ１３＋Ｒ３３と信号電荷Ｒ１１＋Ｒ３１とを水平転送部４０４内で加算して、隣接する４つの同色画素の加算信号（以降、Ｒ１１＋Ｒ１３＋Ｒ３１＋Ｒ３３と記載）を得ることができる。
【００４９】
第５番目に、水平ブランキング期間後の水平転送期間において、加算された信号電荷Ｒ１１＋Ｒ１３＋Ｒ３１＋Ｒ３３を出力部４０６方向へ転送させ、さらに、出力部４０６において電圧に変換させて固体撮像素子出力として出力させる。
【００５０】
このように、垂直ブランキング期間内において光電変換素子４０１で蓄積された信号電荷を垂直転送部４０３に読み出した後、水平ブランキング期間内に１段ずつ水平転送部４０４方向へ転送し、さらに、水平転送部４０４に転送された信号電荷は水平ブランキング期間後の水平転送期間内に出力部４０６の方向へ転送され、出力部４０６において電圧に変換されて固体撮像素子出力として出力される。
【００５１】
実際には、上記の加算動作を同じユニットに含まれる他のフィルタに対応した光電変換素子（Ｇ１２＋Ｇ１４＋Ｇ３２＋Ｇ３４、Ｇ２１＋Ｇ２３＋Ｇ４１＋Ｇ４３およびＢ２２＋Ｂ２４＋Ｂ４２＋Ｂ４４）に対しても、垂直ブランキング期間及び水平ブランキング期間において同様の動作を行うことで固体撮像装置としての画素加算動作を実現している。
【００５２】
したがって、以上の説明の通り、隣接する複数の同色画素を加算することで感度特性を向上させ、且つ、加算動作によりフレームレートを高速化させることで３０フレーム／ｓや６０フレーム／ｓに対応した動画撮影を実現させることができ、高機能で高品位なカメラを実現させることができる。
【００５３】
ところで、例えばＪ＝５０１，Ｋ＝５０１である場合、つまり有効画素領域が水平方向に１００２画素、垂直方向に１００２画素で構成される場合、ユニット構成決定部５１は、ｎ＝１，３，…を算出し、ｍ＝１，３，…を算出し、ｎ＝３，ｍ＝３を選択し、ユニットを構成する水平方向の画素数Ｎ＝６、垂直方向の画素数Ｍ＝６を決定する（Ｓ１７）。
【００５４】
そして、この場合には、水平方向の単位繰り返し数が３、垂直方向の単位繰り返し数が３となるので、ＲＧＢベイヤー配列方式の固体撮像装置において離散的に存在する９つの同色画素を加算することになる。
【００５５】
つまり、離散的に存在する９個の同色フィルタ画素を加算する画素加算を実現させるため、水平方向に３画素、垂直方向に３画素の（３×３）個、すなわち９個の同色フィルタ画素から構成されており、また、画素加算領域の最小単位である１ユニットは水平方向に６画素、垂直方向に６画素の（６×６）個、すなわち３６個の画素から構成される。
【００５６】
そして、水平方向の有効画素領域列の総数は１ユニットの水平方向画素である６の倍数で構成され、且つ、垂直方向の有効画素領域行の総数は１ユニットの垂直方向画素である６の倍数で構成されている。
【００５７】
したがって、従来では多量の画素が無駄になっていたが、この固体撮像素子４０によれば、種々の有効画素領域に対応することができ、利用効率を上げることができる。
【００５８】
一般的な説明では以下の通りとなる。離散的に存在する（Ｘ×Ｙ）個の同色フィルタ画素を加算する画素加算を実現させるため、水平方向Ｘ画素個、垂直方向Ｙ画素個の（Ｘ×Ｙ）個、すなわち（Ｘ×Ｙ）個の同色フィルタ画素から構成されており、また、画素加算領域の最小単位である１ユニットは水平方向に２Ｘ画素、垂直方向に２Ｙ画素の（２Ｘ×２Ｙ）個、すなわち（２Ｘ×２Ｙ）個の画素から構成されている。
【００５９】
水平方向の有効画素領域列の総数は１ユニットの水平方向画素である２Ｘの倍数で構成され、且つ、垂直方向の有効画素領域行の総数は１ユニットの垂直方向画素である２Ｙの倍数で構成されている。
【００６０】
このような構成により、従来では多量の画素が無駄になっていたが、この固体撮像素子４０によれば、種々の有効画素領域に対応することができ、利用効率を上げることができる。
【００６１】
なお、上記実施の形態においてはＲ，Ｇ，Ｂベア配列の場合において実施したが、図６に示されるように補色のフィルタを有する固体撮像素子について実施してもよい。
【００６２】
また、固体撮像素子４０が単板カラーのＣＣＤイメージセンサである場合について実施したが、固体撮像素子４０が単板カラーのＭＯＳイメージセンサである場合において実施できるのはいうまでもない。
【産業上の利用可能性】
【００６３】
本発明の固体撮像装置は、ビデオカメラやデジタルスチルカメラに適用することができる。
【図面の簡単な説明】
【００６４】
【図１】本実施の形態に係る固体撮像装置を利用したカメラの構成を示す図である。
【図２】図１に示される、ＲＧＢベイヤー配列方式の固体撮像素子４０の構成を示す図である。
【図３】図１に示されるユニット構成決定部５１によって行われる画素混合するユニットの構成を決定する処理の動作を示すフローチャートである。
【図４】有効画素領域４１に対してユニット構成決定部５１の決定に従うユニット構成を適用した状態を示す図である。
【図５】ユニット構成決定部５１の決定に従い駆動パルス発生回路５２から固体撮像素子４０に与えられる駆動信号を示す図である。
【図６】補色のフィルタを有する固体撮像素子の構成を示す図である。
【図７】従来のＲＧＢベイヤー配列方式の固体撮像装置の構成を示す図である。
【符号の説明】
【００６５】
１  カメラ
３０  固体撮像装置
４０  固体撮像素子
４１  有効画素領域
４０１  光電変換素子
４０３  垂直転送部
４０４  水平転送部
４０６  出力部
【図１】
2007189556.tif 000003
【図２】
2007189556.tif 000004
【図３】
2007189556.tif 000005
【図４】
2007189556.tif 000006
【図５】
2007189556.tif 000007
【図６】
2007189556.tif 000008
【図７】
2007189556.tif 000009